(57)【要約】      （修正有）【課題】ハンドルレス仕様の扉を有する収納装置に対し、扉と収納本体との間に指挿入用の隙間を形成し、隙間による収納本体の内部の露出を隠蔽できるようにし、仕切板を用いずに戸当たり部を形成し、側板に凹部等をなくして外観見映えの良好な収納装置を提供する。【解決手段】収納装置の閉じ位置にある扉１３，１４の上端面と天板５の前端部との間に手指挿入用隙間Ｃが形成され、収納本体１内部の前端上部に、手指挿入用隙間Ｃを覆う隙間隠し部２５と、閉じ位置にある扉１３，１４の上端部に当接可能な戸当たり部２４とを有する隙間隠し用戸当たり部材２０が収納本体１に固定されて設けられている。隙間隠し用戸当たり部材２０により収納本体１内の前端上部に、手指挿入用隙間Ｃから挿入された手指を収容可能な指収容空間Ｓが区画され、この指収容空間Ｓは手指挿入用隙間Ｃに連通している。【選択図】図６
2020114272.tif 000002
【特許請求の範囲】
【請求項１】
左右の側板、天板及び底板を有し、前側に開口する収納本体と、
上記収納本体に揺動可能に支持され、収納本体の前側開口を開閉する矩形状の扉とを備え、
閉じ位置にある上記扉の上端面の高さ位置は上記天板の下面よりも低くて、該扉の上端面と天板の前端部との間に手指挿入用隙間が形成され、
収納本体内部の前端上部には、上記手指挿入用隙間を通して収納本体内の収納空間が見えないようにする隙間隠し部と、閉じ位置にある扉の上端部に当接可能な戸当たり部とを有し、かつ左右の側板間の少なくとも一部に亘って左右方向に延びる隙間隠し用戸当たり部材が収納本体に固定されて設けられており、
上記隙間隠し用戸当たり部材により収納本体の内部に、上記手指挿入用隙間から挿入された手指を収容可能な指収容空間が区画されていることを特徴とする収納装置。
【請求項２】
左右の側板、天板及び底板を有し、前側に開口する収納本体と、
上記収納本体に揺動可能に支持され、収納本体の前側開口を開閉する矩形状の扉とを備え、
上記左右の側板の一方を設置用側板とし、閉じ位置にある上記扉の左右の側端部のうち上記設置用側板側に位置する側端部を指掛け端部としたとき、閉じ位置にある上記扉の指掛け端部の位置は、上記設置用側板の位置よりも他方の側板側に位置していて、該扉の指掛け端部と設置用側板との間に手指挿入用隙間が形成され、
収納本体内部の前端側部には、上記手指挿入用隙間を通して収納本体内の収納空間が見えないようにする隙間隠し部と、閉じ位置にある扉の上記指掛け端部側に当接可能な戸当たり部とを有し、かつ天板及び底板間の少なくとも一部に亘って上下方向に延びる隙間隠し用戸当たり部材が収納本体に固定されて設けられており、
上記隙間隠し用戸当たり部材により収納本体の内部に、上記手指挿入用隙間から挿入された手指を収容可能な指収容空間が区画されていることを特徴とする収納装置。
【請求項３】
左右の側板、天板及び底板を有し、前側に開口する収納本体と、該収納本体に揺動可能に支持され、収納本体の前側開口を開閉する矩形状の扉とを備え、閉じ位置にある上記扉の上端面の高さ位置が天板の下面よりも低くて、扉の上端面と天板の前端部との間に手指挿入用隙間が形成されている収納装置に対し、上記収納本体内部の前端上部に左右の側板間の少なくとも一部に亘って設けられる隙間隠し用戸当たり部材であって、
上記手指挿入用隙間を通して収納本体内の収納空間が見えないようにする隙間隠し部と、上記閉じ位置にある扉の上端部に当接する戸当たり部とを有しており、
上記収納本体の内部に、上記手指挿入用隙間から挿入された手指を収容可能な指収容空間を区画していることを特徴とする隙間隠し用戸当たり部材。
【発明の詳細な説明】
【技術分野】
【０００１】
本発明は、収納装置及びそれに使用される隙間隠し用戸当たり部材に関するものである。
【背景技術】
【０００２】
従来、扉付きの収納家具として、扉にハンドルや引手を取り付けず、扉自体の端部に手の指を掛けて扉を開くハンドルレス仕様のものは一般に知られている。
【０００３】
そして、収納家具では、通常、その収納本体をボックス状に組み立てた後にそれに扉を設置するのが一般的であり、そのため、ハンドルレス仕様の扉では、扉と収納本体（例えば天板やカウンタ）との間に、扉に掛ける指を挿入するための隙間を設けておく必要がある。しかし、この隙間があると、扉の閉じ位置でも隙間を通して収納本体内部が見え、外観見映え上好ましくないので、それを避ける対策が必要となる。
【０００４】
このように扉と収納本体との間に指挿入用の隙間を設ける構造として、従来、例えば特許文献１や特許文献２に示されるものが提案されている。
【０００５】
特許文献１では、収納本体内を仕切る仕切板を利用し、扉の大きさは閉じ位置にある扉の端部の位置が仕切板の端面と重ならないように小さくして、その部分を指挿入空間とし、扉の端部に、指挿入空間に挿入した指が引掛かる把持部と、扉の端部及び仕切板の間の隙間を覆う目隠し部とを有する部材を固定して、その目隠し部の裏面に仕切板に当接する軟質樹脂材からなるクッション部（扉側の戸当たり部）を設けるようにしている。
【０００６】
また、特許文献２には、収納家具における左右の側板の前端上角部を矩形状に切り欠いて凹部を形成し、その凹部の縁部に断面Ｌ字状となる縦横の保持桟の左右端部を固定し、保持桟の内部に、配線を通すための配線挿通路を形成し、その配線挿通路の前側開口と保持桟下側の家具本体の前側開口とを扉で塞ぐようにすることが提案されている。
【０００７】
これらのものでは、扉の閉じ位置で、その収納本体との間に指挿入用の隙間が形成されるとともに、収納本体の内部も隠蔽されるようになっている。
【先行技術文献】
【特許文献】
【０００８】
【特許文献１】特開２０１８−１０９２６５号公報
【特許文献２】実開平４−９３６３１号公報
【発明の概要】
【発明が解決しようとする課題】
【０００９】
ところが、特許文献１のものでは、収納本体内の仕切板の端部を収納本体側において閉じ位置の扉を受ける戸当たり部としているので、その戸当たり部を形成するには必ず仕切板を追加する必要がある。そのため、収納本体内の全体の収納量を上げる目的で仕切板をなくそうとしても、その仕切板を設けざるを得ず、結果として収納量の増加を達成するのが困難となる。
【００１０】
一方、上記特許文献２の収納家具では、配線挿通路は配線を挿通させるものであるので、その端部をなす凹部や開口は左右の側板において常時露出させる必要があり、その凹部や開口の露出によって収納装置の外観見映えが低下するという問題がある。
【００１１】
尚、特許文献２では、配線挿通路の前側開口と保持桟下側の家具本体の前側開口とを扉で塞ぐことしか記載されておらず、その配線挿通路を形成する水平の保持桟が、閉じ位置にある扉に当接して戸当たり部として機能するかの明記がない。
【００１２】
本発明は斯かる諸点に鑑みてなされたもので、その目的は、ハンドルレス仕様の扉を有する収納装置の構造に工夫を加えることにより、扉と収納本体との間に指挿入用の隙間を形成し、その隙間による収納本体の内部の露出を隠蔽できるようにした上で、仕切板がなくても閉じ位置の扉を受ける戸当たり部を形成し、かつ側板等に凹部をなくして収納装置の外観見映えを良好にするようにすることにある。
【課題を解決するための手段】
【００１３】
上記の目的を達成すべく、この発明では、閉じ位置にある扉の端部と、収納本体において扉の端部に対応する端部との間に手指挿入用隙間を形成し、収納本体内部の前端部に扉が閉じ位置で当接可能な戸当たり部材を取り付け、その戸当たり部材により収納本体内に、手指挿入用隙間から挿入された手指を収容可能な指収容空間を区画するようにした。
【００１４】
具体的には、第１の発明は、左右の側板、天板及び底板を有し、前側に開口する収納本体と、この収納本体に揺動可能に支持され、収納本体の前側開口を開閉する矩形状の扉とを備え、閉じ位置にある上記扉の上端面の高さ位置は上記天板の下面よりも低くて、その扉の上端面と天板の前端部との間に手指挿入用隙間が形成され、収納本体内部の前端上部には、上記手指挿入用隙間を通して収納本体内の収納空間が見えないようにする隙間隠し部と、閉じ位置にある扉の上端部に当接可能な戸当たり部とを有し、かつ左右の側板間の少なくとも一部に亘って左右方向に延びる隙間隠し用戸当たり部材が収納本体に固定されて設けられており、この隙間隠し用戸当たり部材により収納本体の内部に、手指挿入用隙間から挿入された手指を収容可能な指収容空間が区画されていることを特徴とする。
【００１５】
この第１の発明では、収納装置における揺動型の扉上端面の高さ位置が天板の下面よりも低くて、閉じ位置にある扉の上端面と天板の前端部との間に手指挿入用隙間が形成されているので、閉じ位置にある扉を開くときには、手の指を手指挿入用隙間から隙間隠し用戸当たり部材内の指収容空間に入れて扉の上端部に掛け、その状態で扉を引き操作すればよく、ハンドルレス仕様の扉であっても容易に開くことができる。
【００１６】
また、収納本体内部の前端上部には隙間隠し用戸当たり部材が左右の側板間の少なくとも一部に設けられ、この戸当たり部材は、手指挿入用隙間を通して収納本体内の収納空間が見えないようにする隙間隠し部を有するので、手指挿入用隙間が形成されていても、その隙間と収納本体内との間は隙間隠し部によって遮蔽される。このことで、収納本体内やその内部に収納された収納物等が隙間を通して外部から見えることはなく、収納装置として好ましい外観見映えが得られる。また、手指挿入用隙間が隙間隠し用戸当たり部材により収納本体内に対し塞がれるので、収納本体の内部空間は外部との連通が遮断され、その外部の塵埃等が内部空間へ進入し難くなって内部空間を清潔に保つことができる。
【００１７】
また、隙間隠し用戸当たり部材は戸当たり部を有するので、扉は閉じ位置で戸当たり部に当接して閉じるようになり、戸当たり部のために敢えて仕切板を設けることは不要となる。
【００１８】
こうして、隙間隠し用戸当たり部材が隙間隠しの機能と戸当たりの機能とを併せ持つので、１つの隙間隠し用戸当たり部材を設けるだけでよく、無駄な部材を設ける必要がない。しかも、隙間隠し用戸当たり部材が設けられる収納本体内部の前端上部は、収納本体内に収納される収納物とあまり干渉しない領域であり、隙間隠し用戸当たり部材が収納物の収納に邪魔になることはない。
【００１９】
さらに、隙間隠し用戸当たり部材は収納本体内部の前端上部に指収容空間を区画するように設けられ、その指収容空間は手指挿入用隙間に連通しているので、側板に凹部等が形成されることはなく、収納装置の外観見映えを良好にすることができる。
【００２０】
第２の発明は、左右の側板、天板及び底板を有し、前側に開口する収納本体と、この収納本体に揺動可能に支持され、収納本体の前側開口を開閉する矩形状の扉とを備え、上記左右の側板の一方を設置用側板とし、閉じ位置にある上記扉の左右の側端部のうち上記設置用側板側に位置する側端部を指掛け端部としたとき、閉じ位置にある上記扉の指掛け端部の位置は、上記設置用側板の位置よりも他方の側板側に位置していて、該扉の指掛け端部と設置用側板との間に手指挿入用隙間が形成され、収納本体内部の前端側部には、上記手指挿入用隙間を通して収納本体内の収納空間が見えないようにする隙間隠し部と、閉じ位置にある扉の上記指掛け端部側に当接可能な戸当たり部とを有し、かつ天板及び底板間の少なくとも一部に亘って上下方向に延びる隙間隠し用戸当たり部材が収納本体に固定されて設けられており、上記隙間隠し用戸当たり部材により収納本体の内部に、上記手指挿入用隙間から挿入された手指を収容可能な指収容空間が区画されていることを特徴とする。
【００２１】
この第２の発明は、第１の発明が収納装置の上端部に手指挿入用隙間を設けているのに対し、収納装置の左右一方の側端部に手指挿入用隙間を設けており、この発明でも第１の発明と同様の作用効果が得られる。すなわち、第２の発明では、揺動型の扉の左右一方の指掛け端部の位置は、収納本体の設置用側板の位置よりも他方の側板側に位置していて、その扉の指掛け端部と設置用側板との間に手指挿入用隙間が形成されているので、閉じ位置にある扉を開くときには、手の指をこの手指挿入用隙間から隙間隠し用戸当たり部材内の指収容空間に入れて扉の指掛け端部に掛け、その状態で扉を引き操作すればよく、ハンドルレス仕様の扉であっても容易に開くことができる。
【００２２】
また、収納本体内部の前端側部には隙間隠し用戸当たり部材が天板及び底板間の少なくとも一部に設けられ、この戸当たり部材は、手指挿入用隙間を通して収納本体内の収納空間が見えないようにする隙間隠し部を有するので、手指挿入用隙間が形成されていても、その隙間を通して、収納本体内やその内部に収納された収納物等が外部に見えることはなく、好ましい外観見映えが得られる。また、手指挿入用隙間が隙間隠し用戸当たり部材により収納本体内に対し塞がれるので、収納本体の内部空間の外部との連通が遮断され、外部の塵埃が内部空間へ進入し難くなって内部空間を清潔に保つことができる。
【００２３】
また、隙間隠し用戸当たり部材は、閉じ位置にある扉の指掛け端部に当接可能な戸当たり部を有するので、扉は閉じ位置で戸当たり部に当接して閉じるようになり、仕切板を設ける必要がない。
【００２４】
こうして、隙間隠し用戸当たり部材が隙間隠しの機能と戸当たりの機能とを併せ持つので、１つの隙間隠し用戸当たり部材を設けるだけでよく、無駄な部材は生じない。
【００２５】
さらに、隙間隠し用戸当たり部材は収納本体内部の左右一側の前端部に指収容空間を区画するように設けられ、その指収容空間は手指挿入用隙間に連通しているので、天板及び底板に凹部等が形成されることはなく、収納装置の外観見映えを良好にすることができる。
【００２６】
第３の発明は、左右の側板、天板及び底板を有し、前側に開口する収納本体と、該収納本体に揺動可能に支持され、収納本体の前側開口を開閉する矩形状の扉とを備え、閉じ位置にある扉の上端面の高さ位置が天板の下面よりも低くて、扉の上端面と天板の前端部との間に手指挿入用隙間が形成されている収納装置に対し、その収納本体内部の前端上部に左右の側板間の少なくとも一部に亘って設けられる隙間隠し用戸当たり部材であって、上記手指挿入用隙間を通して収納本体内の収納空間が見えないようにする隙間隠し部と、上記閉じ位置にある扉の上端部に当接する戸当たり部とを有しており、上記収納本体の内部に、上記手指挿入用隙間から挿入された手指を収容可能な指収容空間を区画していることを特徴とする。
【００２７】
この第３の発明でも、上記第１の発明と同様の作用効果を奏することができる。
【発明の効果】
【００２８】
以上説明した如く、本発明によると、収納装置の収納本体と揺動型の扉の端部との間に手指挿入用隙間を形成して、収納本体内の前端部に、隙間隠し部と戸当たり部とを有する隙間隠し用戸当たり部材を配置し、その隙間隠し用戸当たり部材により収納本体内に、手指挿入用隙間から挿入された手指を収容可能な指収容空間を区画したことにより、手指挿入用隙間を通して収納本体内が露出するのを阻止して、良好な外観見映えが得られるとともに、収納本体の内部空間の外部との連通を遮断して、その内部空間を清潔に保つことができる。また、１つの隙間隠し用戸当たり部材により、仕切板を用いることなく戸当たり部を形成して隙間隠しと戸当たりとを兼用でき、無駄な部材を不要化することができる。さらに、収納本体に凹部等が形成されず、収納装置の外観見映えをさらに良好にすることができる。
【図面の簡単な説明】
【００２９】
【図１】図１は、本発明の実施形態１に係る収納装置の正面図である。
【図２】図２は、収納装置の分解斜視図である。
【図３】図３は、収納本体の正面図である。
【図４】図４は、隙間隠し用戸当たり部材の斜視図である。
【図５】図５は、図４のＶ−Ｖ線拡大断面図である。
【図６】図６は、隙間隠し用戸当たり部材の取付構造を拡大して示す垂直断面図である。
【図７】図７は、本発明の実施形態２において隙間隠し用戸当たり部材の取付構造を拡大して示す水平断面図である。
【発明を実施するための形態】
【００３０】
以下、本発明の実施形態を図面に基づいて詳細に説明する。以下の実施形態の説明は、本質的に例示に過ぎず、本発明、その適用物或いはその用途を制限することを意図するものでは全くない。
【００３１】
（実施形態１）
図１及び図２は本発明の実施形態１に係る収納装置Ａを示し、この壁面収納装置Ａは、例えば玄関等において収納のために使用される。尚、以下の説明では、「左」は収納装置Ａを前側（後述の扉１３，１４側）から見て左側を言い、「右」は同様に見て右側を言うこととする。
【００３２】
収納装置Ａは、例えば木質材料からなる収納本体１（収納装置本体）と矩形板状の左右の扉１３，１４とを備えている。図３にも示すように、収納本体１は左右の側板３，４、上下の天板５及び底板６、背板７，７（裏板）を備えた矩形箱形状を有し、例えば天板５は両側板３，４に対し、天板５の下端面で側板３，４の上端面にそれぞれ当接載置された状態でダボやビス等により固定されている。底板６は両側板３，４に対し、左端面が左側板３の右側面に、また右端面が右側板４の左側面にそれぞれ当接した状態でダボやビス等により固定されている。収納本体１の内部には、左右の側板３，４間で左右中間の位置に上下方向の仕切板９が配置され、仕切板９の上端面は天板５下面に、また下端面は底板６下面にそれぞれ当接してダボやビス等により固定されており、この仕切板９により収納本体１の内部空間が左右２つの空間に仕切られている。図６に示すように、天板５の前後幅は側板３，４及び底板６よりも扉１３，１４の厚さ程度だけ大きく形成され、収納本体１の組立状態では、天板５の前端に側板３，４よりも扉１３，１４の厚さ分程度だけ突出した突出部５ａが設けられている。尚、突出部５ａは設けなくてもよいが、設けた方が美観上好ましい。
【００３３】
さらに、収納本体１の２つの空間内の後端部にはそれぞれ上記背板７，７が左右に分かれた状態で嵌め込まれ、各背板７は側板３，４及び仕切板９に一体的に固定されている。具体的には、図示しないが、例えば各背板７は、左右端部が側板３，４及び仕切板９の後端部の内面（左右対向面）にある嵌合溝に、また上下端部が天板５及び底板６の後端部の内面にある嵌合溝にそれぞれ嵌合されて接着固定されている。このような構造により、収納本体１は前側に開口した矩形箱状のものとされている。
【００３４】
尚、図示しないが、収納本体１の左右の空間内にそれぞれ公知の構造の固定棚や可動棚を配置してもよい。各固定棚はその左右端部が側板３，４及び仕切板９にダボやビス等により固定される。また、可動棚にあっては、収納本体１の側板３，４及び仕切板９にはそれぞれ高さ位置の異なる多段のダボ穴を形成し、この同じ高さ位置のダボ穴にダボを嵌合して、そのダボ上に可動棚の左右端部を載置支持できるようにしている。
【００３５】
また、側板３，４、天板５、仕切板９及び背板７の連結構造は上記説明の例に限定されない。
【００３６】
上記左右の扉１３，１４は、収納本体１の前側の開口を開閉する左右両開きの揺動型のもので、左扉１３は、左端部が収納本体１の左側板３における右側面（収納本体１内面）に上下複数の丁番１６，１６，…（図１及び図３で仮想線にて示す）により鉛直上下方向の揺動軸心をもって揺動可能に支持されていて、収納本体１内の仕切板９左側の空間における前側開口を開閉する。一方、右扉１４も、右端部が収納本体１の右側板４における左側面（収納本体１内面）に上下複数の丁番１６，１６，…（図１及び図３で仮想線にて示す）により鉛直上下方向の揺動軸心をもって揺動可能に支持されて、収納本体１内の仕切板９右側の空間における前側開口を開閉するようになっている。
【００３７】
各扉１３，１４の前面にはハンドルが取り付けられておらず、各扉１３，１４はハンドルレスの仕様とされており、このハンドルレス仕様の扉１３，１４を開閉するために、以下の構造が設けられている。
【００３８】
すなわち、図６にも示すように、各扉１３，１４が閉じ位置にあるときに、その各扉１３，１４の上端面の高さ位置は上記天板５の下面よりも低くて、該扉１３，１４の上端面と、天板５前端の上記突出部５ａ下面との間に手指挿入用隙間Ｃが形成され、この手指挿入用隙間Ｃは左右水平方向に延びている。そして、手指挿入用隙間Ｃ下側の扉１３，１４の上端部は指掛け端部１５となっており、扉１３，１４を閉じ位置から開くときには、手指挿入用隙間Ｃに手の指を挿入して指掛け端部１５（上端部）に掛け、その状態で扉１３，１４を引き操作して開くようになっている。
【００３９】
また、収納本体１内部には、左右２つの収納空間の前端上部にそれぞれ水平左右方向に延びる隙間隠し用戸当たり部材２０，２０が収納空間毎に左右の側板３，４と仕切板９との間の全体に亘って設けられている。この左右の隙間隠し用戸当たり部材２０，２０は互いに同じ断面形状の長尺部材で、いずれも例えばＡＢＳ樹脂等の硬質樹脂の押出成形材からなり、その長さは各収納空間の左右長さ（側板３，４内側面と仕切板９側面との間の距離）よりも僅かに小さい長さとされている。具体的には、図４及び図５に示すように、各隙間隠し用戸当たり部材２０は、水平状態で左右方向に延びる板状の取付部２０ａを有し、この取付部２０ａには、前後に並んだ例えば１対のビス孔２２，２２の組が複数組、取付部２０ａの長さ方向（左右方向）に所定の間隔をあけて貫通形成されている。
【００４０】
取付部２０ａの前端部（図５では左端部）には、鉛直状態で左右方向に延びる板状の第１板状部２０ｂが上端部で連続し、この第１板状部２０ｂの下端部には、取付部２０ａと同様に水平状態で左右方向に延びる板状の第２板状部２０ｃが後端部（図５では右端部）にて連続し、この第１板状部２０ｂの下端部と第２板状部２０ｃの後端部との連続部分は断面円弧状に湾曲している。さらに、第２板状部２０ｃの前端部（図５で左端部）には、鉛直状態で左右方向に延びかつ第１板状部２０ｂの上下幅よりも小さい上下幅（高さ）を有する細板状の戸当たり部２４の上端部が連続している。
【００４１】
そして、図６に示すように、取付部２０ａを上面で天板５の前端部下面に当接させ、その状態でビスｖをビス孔２２に挿通させて天板５下面にねじ込むことで、隙間隠し用戸当たり部材２０を収納本体１の天板５に取付固定し、その取付状態では隙間隠し用戸当たり部材２０の長さ方向の端面（左右端面）が側板３，４の内面及び仕切板の側面と近接又は当接するようになっている。
【００４２】
また、この隙間隠し用戸当たり部材２０の第１及び第２板状部２０ｂ，２０ｃにより、隙間隠し用戸当たり部材２０が天板５へ取り付けられた状態で上記手指挿入用隙間Ｃを通して収納本体１内の収納空間が見えないようにする隙間隠し部２５が構成されている。また、下側の第２板状部２０ｃ前端に連続する戸当たり部２４は、閉じ位置にある扉１３，１４の上端部に前面で当接可能となっている。
【００４３】
さらに、隙間隠し用戸当たり部材２０には、その隙間隠し部２５を含む外表面全体に化粧処理が施されている。この化粧処理は、収納本体１や扉１３，１４と同じ色柄の木目模様である。化粧処理は、例えば色柄模様を印刷した化粧シートを隙間隠し用戸当たり部材２０表面にラッピングして接着すること等によって行うことができ、或いは塗装やその他の処理によってもよい。尚、化粧処理は、隙間隠し用戸当たり部材２０の外表面全体に施す必要はなく、扉１３，１４の閉じ位置で手指挿入用隙間Ｃから見える隙間隠し部２５に施されていればよい。
【００４４】
以上の構造により、隙間隠し用戸当たり部材２０によって収納本体１内の前端上部に、手指挿入用隙間Ｃから挿入された手指を収容可能な指収容空間Ｓが区画されている。この指収容空間Ｓは、隙間隠し用戸当たり部材２０と、閉じ位置にある扉１３，１４の上端部（指掛け端部１５）と、左右の側板３，４の前端上部及び天板５の前端部とで囲まれる部分、詳細には閉じ位置にある扉１３，１４の上端部と、隙間隠し用戸当たり部材２０と、側板３，４及び仕切板９の前端上部と天板５の前端部とで囲まれる部分に区画されて、手指挿入用隙間Ｃのみに連通している。
【００４５】
尚、隙間隠し用戸当たり部材２０は、上記のように第１及び第２板状部２０ｂ，２０ｃによる断面Ｌ字状の構造とするのに代え、例えば取付部２０ａの前端部から戸当たり部２４まで斜め前下がりに直線状に延びる平板部を有するものとしてもよい。但し、戸当たりとしての強度を担保できる点や、手が当たる部分として鋭利な形状とならないようにする点では、上記断面Ｌ字状の構造が好ましい。勿論、他の断面形状のものも採用することができる。
【００４６】
また、隙間隠し用戸当たり部材２０は、樹脂の押出成形材に代えて、アルミニウム等の金属の押出成形材であってもよく、さらには押出成形材に限定しなくてもよい。しかし、安価で軽量という点での押出成形材が好ましい。
【００４７】
また、隙間隠し用戸当たり部材２０は、取付部２０ａで収納本体１の天板５のみに固定されているが、加えて、その長さ方向の端部（左右端部）を側板３，４の内面及び仕切板９の側面にも取付金具等により固定するようにしてもよい。
【００４８】
したがって、この実施形態に係る収納装置Ａにおいては、その揺動型の左右の扉１３，１４が閉じているときに、その各扉１３，１４の上端面の高さ位置が収納本体１の天板５下面よりも低くなっており、各扉１３，１４の上端面と天板５前端の突出部５ａとの間に手指挿入用隙間Ｃが形成されている。そのため、この閉じ位置にある各扉１３，１４を開くときには、手の指を手指挿入用隙間Ｃから隙間隠し用戸当たり部材２０内の指収容空間Ｓに入れて各扉１３，１４の上端部の指掛け端１５に掛け、その状態で扉１３，１４を引き操作すればよく、ハンドルレス仕様の扉１３，１４であっても容易に開くことができる。
【００４９】
また、収納本体１内部の各収納空間の前端上部には、隙間隠し部２５（第１及び第２板状部２０ｂ，２０ｃ）を有する隙間隠し用戸当たり部材２０が収納本体１の天板５に固定されて設けられ、この戸当たり部材２０の隙間隠し部２５は、手指挿入用隙間Ｃを通して収納本体１内の収納空間が見えないようにするものであるので、上記のようにハンドルレス仕様の扉１３，１４のために手指挿入用隙間Ｃが形成されていても、その隙間Ｃは隙間隠し部２５によって覆われる。このことで、収納本体１内やその内部に収納された収納物等が隙間Ｃを通して外部から見えることはなく、収納装置Ａとして好ましい外観見映えが得られる。また、このように手指挿入用隙間Ｃが隙間隠し用戸当たり部材２０により収納本体１の内部空間に対し塞がれるので、その収納本体１の内部空間は外部との連通が遮断され、外部の塵埃等が内部空間へ進入し難くなって内部空間を清潔に保つことができる。
【００５０】
また、隙間隠し用戸当たり部材２０は戸当たり部２４をも有するので、各扉１３，１４が閉じ位置にあるときに、その扉１３，１４の上端部が戸当たり部２４に当接して閉じるようになる。このことで、従来の技術のように、戸当たり部のために敢えて仕切板を設けることは不要となる。そして、このような戸当たり部２４により、経年変化等によって扉１３，１４に反りが生じた場合でも、扉１３，１４が本来の閉じ位置から変位し難くなり、左右両開きの扉１３，１４が互いにずれることもなく、収納装置Ａの外観見映えを安定して良好に維持することができる。
【００５１】
こうして１つの隙間隠し用戸当たり部材２０が隙間隠しの機能と戸当たりの機能とを併せ持つので、それぞれの機能を持つ複数の部材を設けずとも済み、無駄な部材を設ける必要がない。しかも、隙間隠し用戸当たり部材２０が設けられる収納本体１内部の前端上部は、収納本体１内に収納される収納物とさほど干渉しない領域であり、隙間隠し用戸当たり部材２０が収納物の収納に邪魔になることはない。
【００５２】
さらに、隙間隠し用戸当たり部材２０は収納本体１内部の前端上部に設けられ、その内部の指収容空間Ｓは手指挿入用隙間Ｃに連通しているので、従来の技術のように側板３，４に凹部等は形成されず、よって収納装置Ａの外観見映えを良好にすることができる。
【００５３】
また、上記隙間隠し用戸当たり部材２０は樹脂又は金属の押出成形材により形成されているので、その隙間隠し用戸当たり部材２０の形成が容易になる。
【００５４】
加えて、隙間隠し用戸当たり部材２０の隙間隠し部２５を含む外表面全体に化粧処理が施されているので、その化粧処理により、扉１３，１４の閉じ位置でも隙間隠し用戸当たり部材２０、特に外部から手指挿入用隙間Ｃを通して見えて目立ち易い隙間隠し部２５を化粧処理によって目立ち難くすることができ、収納装置を前側から見たときの美観性を良好に保つことができる。特に、化粧処理が収納本体１や扉１３，１４と同じ色柄模様（木目模様）であると、手指挿入用隙間Ｃを通して見える隙間隠し用戸当たり部材２０の隙間隠し部２５が収納本体１と同様の模様となり、その隙間隠し部２５をより目立ち難くすることができ、収納本体１内に収納本体１と同じ模様が見えて収納本体１や扉１３，１４との一体感が高くなり、美観性がさらに良好になる。
【００５５】
（実施形態２）
図７は本発明の実施形態２を示し（図１〜図６と同じ部分については同じ符号を付してその詳細な説明は省略する）、収納装置Ａにおける手指挿入用隙間Ｃ及び隙間隠し用戸当たり部材２０の位置を変えたものである。
【００５６】
すなわち、上記実施形態１では、収納装置Ａの上部に手指挿入用隙間Ｃが形成されて、その扉１３，１４の上端部に指掛け端部１５が設けられ、収納本体１内部の前端上部に隙間隠し用戸当たり部材２０が設けられているのに対し、この実施形態２では、手指挿入用隙間Ｃ、扉１８の指掛け端部１５及び隙間隠し用戸当たり部材２０が収納装置Ａの例えば左側部に設けられている。
【００５７】
具体的には、図７に示すように、扉１８はその右端部が右側板４（図７には示していない）に図外の丁番により鉛直上下方向の揺動軸心回りに揺動可能に支持されている。左右側板３，４のうちの一方の左側板３は設置用側板とされ、閉じ位置にある扉１８の左右側端部のうち上記左側板３（設置用側板）側に位置する左側端部が指掛け端部１５とされている。そして、閉じ位置にある扉１８の指掛け端部１５の位置は、左側板３の位置よりも右側（右側板４側）に位置し、その扉１８の指掛け端部１５と左側板３との間に、鉛直上下方向に延びる手指挿入用隙間Ｃが形成されている。
【００５８】
また、収納本体１内部の前端左側部に、天板５及び底板６間の全体に亘って鉛直上下方向に延びる隙間隠し用戸当たり部材２０が収納本体１に固定して設けられている。この隙間隠し用戸当たり部材２０は、実施形態１に記載のものと同じもので（図４及び図５参照）、手指挿入用隙間Ｃを通して収納本体１内の収納空間が見えないようにする隙間隠し部２５（第１及び第２板状部２０ｂ，２０ｃ）と、閉じ位置にある扉１８の指掛け端部１５側に当接可能な戸当たり部２４とを有する。この隙間隠し用戸当たり部材２０は、取付部２０ａを左面で左側板３の右側面に当接させ、その状態でビスｖをビス孔２２に挿通させて左側板３の右側面にねじ込むことで、隙間隠し用戸当たり部材２０を収納本体１の左側板３に取付固定し、その取付状態で隙間隠し用戸当たり部材２０の長さ方向の端面（上下端面）が天板５及び底板６と近接又は当接するようになっている。
【００５９】
上記隙間隠し用戸当たり部材２０により収納本体１内の前端左側部に、手指挿入用隙間Ｃから挿入された手指を収容可能な指収容空間Ｓが区画され、この指収容空間Ｓは、隙間隠し用戸当たり部材２０と、閉じ位置にある扉１８の指掛け端部１５と、天板５及び底板６の前端側部と、左側板３（設置用側板）の前端部とで囲まれた部分に区画されていて、手指挿入用隙間Ｃのみに連通している。
【００６０】
尚、上記構造とは左右を逆にし、扉１８の左端部を左側板４に鉛直上下方向の揺動軸心回りに揺動可能に支持して、手指挿入用隙間Ｃ、扉１８の指掛け端部１５及び隙間隠し用戸当たり部材２０を収納装置Ａの右側部に設けてもよい。その場合、右側板４が設置用側板とされ、扉１８の右側端部が指掛け端部１５となり、収納本体１内部の前端右側部に隙間隠し用戸当たり部材２０が配置される。
【００６１】
このように収納装置の左右一側部に手指挿入用隙間Ｃ及び隙間隠し用戸当たり部材２０が設けられていても、上記実施形態１と同様の作用効果を奏することができる。但し、その場合、隙間隠し用戸当たり部材２０は上下方向に延びるように配置されるので、棚板を設けるときには、その棚板が隙間隠し用戸当たり部材２０と干渉しないように幅を狭くする等して棚板の奥行き調整をすればよく、それが困難なときには、上記実施形態で隙間隠し用戸当たり部材２０が仕切板９の位置で分割された構造と同様に、隙間隠し用戸当たり部材２０を棚板の位置で分割すればよい。
【００６２】
（その他の実施形態）
本発明は上記実施形態に限定されず、種々の他の実施形態を含むものである。例えば、上記実施形態１では、収納装置Ａは左右両開きの扉１３，１４を備えているが、片開きの揺動型の扉であってもよい。
【００６３】
また、上記実施形態１では、各扉１３，１４はその左右端部が丁番１６，１６，…により側板３，４に支持されて、鉛直上下方向の軸心回りに揺動するようになっており、実施形態２でも、扉１８は同様の左右開きの構造となっているが、扉１３，１４，１８の下端部を丁番により底板６に支持して、左右水平方向の軸心回りに揺動するようにしてもよく、下開きの扉となる。
【００６４】
また、上記実施形態１では、収納本体１の内部に１枚の仕切板を設けているが、仕切板９は２枚以上であってもよく、或いはなくてもよい。仕切板９がない場合には、１つの隙間隠し用戸当たり部材２０が左右の側板３，４間の全体に亘って設けられる。
【００６５】
そして、本発明は、隙間隠し用戸当たり部材２０を、上記実施形態１のように左右の側板３，４と仕切板９との間の全体に亘って設けること、或いは左右の側板３，４間の全体に亘って設けること、さらには実施形態２のように天板５及び底板６間の全体に亘って設けることに限定されず、左右の側板３，４と仕切板９との間の一部に、或いは左右の側板３，４間の一部に、さらには天板５及び底板６間の一部に部分的に設けることも含んでいる。要は、隙間隠し用戸当たり部材２０の内部に指収容空間Ｓが区画されていればよい。
【産業上の利用可能性】
【００６６】
本発明は、ハンドルレス仕様の扉を有する収納装置の手指挿入用隙間を通して収納本体内が露出するのを阻止して、良好な外観見映えが得られるので、極めて有用で産業上の利用可能性が高い。
【符号の説明】
【００６７】
Ａ  収納装置
１  収納本体
３  左側板
４  右側板
５  天板
６  底板
７  背板
９  仕切板
１３  左扉
１４  右扉
１５  指掛け端部
Ｃ  手指挿入用隙間
２０  隙間隠し用戸当たり部材
２０ｂ  第１板状部
２０ｃ  第２板状部
２４  戸当たり部
２５  隙間隠し部
Ｓ  指収容空間
【図１】
2020114272.tif 000003
【図２】
2020114272.tif 000004
【図３】
2020114272.tif 000005
【図４】
2020114272.tif 000006
【図５】
2020114272.tif 000007
【図６】
2020114272.tif 000008
【図７】
2020114272.tif 000009